(57)【要約】【課題】奥行き感を有し、立体的な印象を与える遊技板及び遊技機を提供する。【解決手段】透明又は半透明な素材で作製された遊技基板１０と、前記遊技基板１０の前面側の一部に背面側が視認可能な第１背面側視認可能領域を有するように前記遊技基板１０の前面の全部又は一部に設けられた前面装飾層２０と、前記遊技基板１０の後面であって、前記第１背面側視認可能領域に対向する位置の少なくとも一部に設けられた後面装飾層３０と、を備えている遊技板１００とした。【選択図】図１
2015104392.tif 000002
【特許請求の範囲】
【請求項１】
透明又は半透明な素材で作製された遊技基板と、
前記遊技基板の前面側の一部に背面側が視認可能な第１背面側視認可能領域を有するように前記遊技基板の前面の全部又は一部に設けられた前面装飾層と、
前記遊技基板の後面であって、前記第１背面側視認可能領域に対向する位置の少なくとも一部に設けられた後面装飾層と、
を備えていることを特徴とする遊技板。 
【請求項２】
前記遊技基板の後面側であって、前記第１背面側視認可能領域に対向する位置の少なくとも一部に背面側が視認可能な第２背面側視認可能領域を有していることを特徴とする請求項１記載の遊技板。
【請求項３】
前記遊技基板の前記第１背面側視認可能領域と前記第２背面側視認可能領域とが設けられている位置の背面側の少なくとも一部に、遊技基板の後面に当接又は間隙を開けて背面装飾部が配置されることを特徴とする請求項２記載の遊技板。
【請求項４】
請求項１又は２に記載の遊技板と、 
前記遊技板の前記第１背面側視認可能領域と前記第２背面側視認可能領域とが設けられている位置の背面側の少なくとも一部に設けられた背面装飾部と、
を備えていることを特徴とする遊技機。 
【請求項５】
前記背面装飾部は、立体構造物であることを特徴とする請求項４記載の遊技機。
【発明の詳細な説明】
【技術分野】
【０００１】
本発明は、パチンコ遊技機、アレンジボール遊技機、雀球遊技機等の遊技球を遊技媒体として用いる遊技機の遊技板及び遊技機に関する。
【背景技術】
【０００２】
従来、パチンコ遊技機等の遊技板は、遊技球を遊技領域に誘導する２本のガイドレールが装着されるとともに、ガイドレールで囲まれた遊技領域には図柄変動表示装置、入賞装置等の遊技部品が配設されている。そして、これら遊技部品の周辺には障害釘、風車等が植設され、これにより、遊技領域を落下する遊技球の落下経路に変化を与えている。
【０００３】
近年、遊技板は、環境保護の観点や意匠上の観点から、合板製に代えて合成樹脂製のものが提案されている。特に透明な合成樹脂により成形された遊技板は、遊技板の背面側にも各種装飾部材を配置できることから、奥行き感のある斬新なデザインを採用することができ、興趣が高められるといった利点がある（特許文献１）。
【０００４】
また、透明な合成樹脂製の遊技板の表面に、遊技板を保護するハードコート層とともに、その内側に装飾が描かれた絵柄層が形成された遊技板用保護フィルムを転写する技術が提案されている（特許文献２参照）。
【先行技術文献】
【特許文献】
【０００５】
【特許文献１】特開２００７−２８９３５９号公報
【特許文献２】特開２０１１−１０１７９１号公報
【発明の概要】
【発明が解決しようとする課題】
【０００６】
確かに特許文献１に示された発明では、奥行き感のあるデザインを採用することができるが、透明部全域の背面側に各種装飾部材を配置しなければ、逆に遊技板の奥側の配線や遊技球処理通路が丸見えになってしまうという問題がある。そのため、必然的に透明部全域に多数の装飾用部品を配置することになり、コストパフォーマンスが著しく低下するという問題があった。
【０００７】
また、特許文献２に示された発明では、ハードコート層とともに絵柄層を転写することで、生産性を向上させることができるが、遊技板面から受ける印象が平面的になり、せっかくの透明板面の背面側を活かすことができないという問題があった。
【０００８】
そこで、本発明は、上記課題を鑑みてなされたもので、生産コストを抑えつつ、奥行き感を有する遊技板を提供することを主たる目的とする。
【課題を解決するための手段】
【０００９】
本発明は、上述の主目的を達成するために以下の手段を採った。
【００１０】
本発明にかかる遊技板は、
透明又は半透明な素材で作製された遊技基板と、
前記遊技基板の前面側の一部に背面側が視認可能な第１背面側視認可能領域を有するように前記遊技基板の前面の全部又は一部に設けられた前面装飾層と、
前記遊技基板の後面であって、前記第１背面側視認可能領域に対向する位置の少なくとも一部に設けられた後面装飾層と、
を備えていることを特徴とする。
【００１１】
本発明の遊技板によれば、透明又は半透明の遊技基板の前面の一部に形成された第１背面側視認可能領域によって、後面装飾層を視認することができる。そのため、前面装飾層の装飾と、第１背面側視認可能領域から視認できる後面装飾層の装飾とで遊技基板の厚さ分だけ視認される奥行きが異なるので、奥行き感を有する立体的な印象の装飾効果を有する遊技板を提供することができる。
【００１２】
また、本発明にかかる遊技板において、前記遊技基板の後面側であって、前記第１背面側視認可能領域に対向する位置の少なくとも一部に背面側が視認可能な第２背面側視認可能領域を有していることを特徴とするものであってもよい。かかる構成を採用することによって、遊技基板の前面に形成される第１背面側視認可能領域と、遊技基板の後面に形成される第２背面側視認可能領域が重なった部分においては、後面のさらに背面側が視認可能となる。そのため、前面装飾層による装飾と、後面装飾層による装飾と、背面側が視認可能な部位とにおける３段階の奥行き感を有する遊技板を提供することができる。
【００１３】
さらに、本発明にかかる遊技板において、前記遊技基板の前記第１背面側視認可能領域と前記第２背面側視認可能領域とが設けられている位置の背面側の少なくとも一部に、遊技基板の後面に当接又は間隙を開けて背面装飾部が配置されることを特徴とするものであってもよい。遊技基板の前面に形成される第１背面側視認可能領域と、遊技基板の後面に形成される第２背面側視認可能領域が重なった部分の背面側に背面装飾部を配置することによって、前面装飾層による装飾と、後面装飾層による装飾に加え、さらに奥側に背面装飾部による装飾によって、３段階の奥行き感がある装飾を有する遊技板を提供することができる。
【００１４】
さらに、本発明にかかる遊技機において、前述した遊技板と、前記遊技板の前記第１背面側視認可能領域と前記第２背面側視認可能領域とが設けられている位置の背面側の少なくとも一部に設けられた背面装飾部と、を備えていることを特徴とする。かかる構成を採用することによって、前面装飾層による装飾と、後面装飾層による装飾と、背面装飾部における装飾によって、３段階の奥行きを有する装飾機能を有する遊技機を提供することができる。
【００１５】
さらに、本発明にかかる遊技機において、前記背面装飾部は、立体構造物であることを特徴とするものであってもよい。背面装飾部が立体構造を有することから、最奥側の装飾がそれ自体で奥行き感を有する立体的な装飾となる。そのため全体として、三段階の奥行きに加え、より立体的な装飾が施された印象を有する遊技機を提供することができる。
【発明の効果】
【００１６】
本発明にかかる遊技板及び遊技機によれば、奥行き感を有し、立体的な印象を与える遊技板及び遊技機を提供することができる。
【図面の簡単な説明】
【００１７】
【図１】図１は、第１実施形態にかかる遊技板１００の斜視図である。
【図２】図２は、第１実施形態にかかる遊技板１００の分解斜視図である。
【図３】図３Ａは、第１実施形態にかかる遊技板１００の前面装飾層を形成する前面装飾用フィルム２５を示す断面図である。図３Ｂは、前面装飾用フィルム２５に保護フィルム５０を積層した状態を示す断面図である。図３Ｃは、後面装飾層３０を形成する後面装飾用フィルム３５を示す断面図である。
【図４】図４は、第１実施形態にかかる遊技板１００を作製する工程を示す模式図である。
【図５】図５は、第１実施形態にかかる遊技板１００の別実施形態を示す斜視図である。
【図６】図６は、第１実施形態にかかる遊技板１００の別実施形態を示す分解斜視図である。
【図７】図７は、第２実施形態にかかる遊技板１００及び遊技機１１０を示す分解斜視図である。
【発明を実施するための形態】
【００１８】
上記簡単に説明した図面に基づいて、本発明を実施するための形態を詳細に説明する。なお、本明細書及び特許請求の範囲において、「接合」とは、それぞれが容易に分離できない状態を示し、接合する方法は貼着、転写等の種々の手段を採用することができる。また、「フィルム」とは、シートをも含む概念であり、特に厚さによって区別するものではなく、比較的厚いプラスチックシートを除外するものではない。また、「粘着層」とは、特に使い分けている場合を除き、接着剤又は粘着剤が塗布された層の両方を含む概念である。また、「遊技板」とは、遊技基板用フィルムを接合した後の遊技板を示し、「遊技基板」とは、前面装飾層及び後面装飾層を形成する前の板材を示す。
【００１９】
第１実施形態にかかる遊技板１００が図１及び図２に示されている。図１は、遊技板１００の斜視図であり、図２は、遊技板１００の分解斜視図である。第１実施形態にかかる遊技板１００は、遊技基板１０、この遊技基板１０の前面に形成された前面装飾層２０、遊技基板１０の後面に形成された後面装飾層３０を主として有している。
【００２０】
遊技基板１０は、アクリル、ＡＢＳ樹脂、ポリカーボネート又はポリスチロール等の合成樹脂を用いて、射出成形又は押出成形によって作製される。遊技基板１０は、無色透明であっても、有色透明であってもよいし、半透明であってもよい。遊技基板１０は、障害釘が植設可能な８ｍｍから２０ｍｍの厚さを有する矩形の板状に形成され、図２に示すように、図柄変動表示装置が取り付けられる図柄変動装置取付用開口部１０ａと、可動型入賞口、大入賞口等の各種入賞装置、電子ディスプレイ、ランプその他の装飾体を取り付けるため図柄変動装置取付用開口部１０ａと比較して小さい小開口部１０ｂが形成されている。これら図柄変動装置取付用開口部１０ａ及び小開口部１０ｂは、射出成形で同時に作製してもよいし、射出成形の後又は押出成形の後、ＮＣルーター加工機等による切削加工によって別工程で作製してもよい。その他、適宜、必要に応じて外周縁部に額縁状の補強リブを一体に形成したり、肉抜き部を設けたりしてもよい。
【００２１】
前面装飾層２０は、図２に示すように、前面装飾用フィルム２５で形成されており、図３Ａに示すように、下層から粘着層２１、印刷層２２、合成樹脂フィルム２３及びハードコート層２４を備えており、主として遊技基板１０の表面を保護する機能と、遊技基板１０の表面を修飾する機能とを有する。なお、前面装飾用フィルム２５の各層は、視認性向上のため実際の製品よりかなり厚く図示されており、図３中の各層の厚さの比は、実際の前面装飾用フィルム２５の各層の厚さの比率を反映したものではない。
【００２２】
粘着層２１は、遊技基板１０と接合する層であり、接着剤又は粘着剤で形成される。接着剤又は粘着剤は、特に限定するものではないが、粘着剤の例としては、ポリウレタン系粘着剤、アクリル系粘着剤、シリコン系粘着剤、ゴム系粘着剤、ポリエステル系粘着剤、ポリビニルブチラール系粘着剤、エチレン−酢酸ビニル系粘着剤等が挙げられる。好ましくは、アクリル系の二液混合型のものが好ましく、より好ましくは、アクリル酸エステル共重合体を含むものがよい。また、粘着剤の機能の面からは、溶剤型粘着剤、熱硬化型粘着剤、活性エネルギー線硬化型粘着剤等いずれであってもよい。
【００２３】
印刷層２２は、合成樹脂フィルム２３に印刷されて遊技板１００の絵柄等の装飾を施した層である。印刷層２２は、着色インク又は無色インクを用いて合成樹脂フィルム２３の表面に印刷される。印刷層２２の絵柄等には、特に制限はなく、絵柄、図柄、画像、模様、文字等又はこれらの組み合わせが含まれる。印刷層２２は、図２に示すように、一部にのみ絵柄、文字等の前面装飾部２２ａが印刷される。それ以外の面は、有色又は無色の透明又は半透明に形成され、後面又は背面側が視認可能な第１背面側視認可能領域２２ｂが形成される。なお、第１背面側視認可能領域２２ｂは、透明又は半透明なインクを用いて印刷してもよいし、印刷しなくてもよい。印刷層２２の印刷には、着色インク又は無色インクを用いた通常のオフセット印刷、ＵＶ硬化型オフセット印刷、スクリーン印刷、グラビア印刷等の中から任意に選択して行うことができる。
【００２４】
合成樹脂フィルム２３は、耐透湿性と気体透過性とを考慮して選択されたプラスチック素材で作製される。プラスチック素材としては、例えば、アクリル樹脂、ポリエチレンテレフタレート、ポリカーボネート、メタクリル系樹脂フィルム、ポリ塩化ビニル樹脂フィルム等の合成樹脂が挙げられるが、特に限定するものではない。好ましくは、適度に耐透湿性、気体透過性を有するため、印刷層２２に適切な状態を保つことができることに加え、引っ張り強さが強く、適度な伸びもあり、腰が強く、弾性回復性が優れている等の特性を有し、加工の面でも取り扱いやすいポリエチレンテレフタレート（ＰＥＴ）フィルムを使用するとよい。フィルムの厚さは限定するものではないが、遊技基板１０への接合の際に、装飾フィルムの剛性によって取り扱いづらくなることから、適度な腰を有する１０μｍ〜２００μｍ程度の厚さのものを使用するとよい。
【００２５】
ハードコート層２４は、合成樹脂フィルム２３の表面に形成され、遊技板１００として完成された際に最外層を構成する層であり、合成樹脂フィルム２３とともに、下層の印刷層２２や遊技基板１０を遊技球から保護する機能を有する。ハードコート層２４は、熱硬化性樹脂や活性エネルギー線硬化性樹脂を主成分とする樹脂を用いるとよい。上記熱硬化性樹脂としては、熱によって重合又は架橋する、アクリル系樹脂、ポリエステル系樹脂、ポリウレタン系樹脂等が挙げられる。上記活性エネルギー線硬化性樹脂は、紫外線や電子線等の活性エネルギー線によって重合・硬化する樹脂である。活紫外線硬化型樹脂としては、ウレタン系、ポリエステル系、エポキシ系、ポリオール系の（メタ）アクリル酸変性された樹脂の各種オリゴマー、モノマー等に光開始剤が添加されたものを用いることができる。これらの中でもウレタンアクリレート、ポリエステルアクリレート、エポキシアクリレート、ウレタンメタクリレート、ポリエステルメタクリレート、エポキシメタクリレート等の分子末端にアクリル基又はメタクリル基を有しているものが好適に使用できる。合成樹脂フィルム２３の表面にハードコート層２４を設けることによって、表面の鉛筆硬度は、合成樹脂フィルム２３の鉛筆硬度に対して２段階〜４段階程度硬度が向上する。最終的な表面の鉛筆硬度は、Ｈ以上が好ましく、３Ｈ以上がより好ましい。
【００２６】
なお、遊技基板１０に接合される前の前面装飾層２０を形成する前面装飾フィルム２５には、図３Ｂに示すように、ハードコート層２４や粘着層２１の表面に接合時又は接合後に剥離される保護フィルム５０を設けておくとよい。
【００２７】
保護フィルム５０は、遊技基板１０と接合される前に粘着層２１が自然劣化したり、又は運搬や保管の際にほこり等が貼り付いて不良品化したりすることを防止したり、取り付ける前のハードコート層２４を保護したりする。保護フィルム５０の素材、厚さ等は特に限定するものではなく、紙を基材とする剥離紙であってもよいし、合成樹脂を基材とする樹脂フィルムであってもよい。好ましくは厚さ１０μｍ〜５０μｍ程度のポリエチレンテレフタレート（ＰＥＴ）、ポリエチレン（ＰＥ）等からなるフィルムにシリコン等の離型剤をコーティングしたものを使用するとよい。
【００２８】
後面装飾層３０は、後面装飾用フィルム３５で形成される。後面装飾用フィルム３５は、遊技基板１０の後面に接合されるものであるため、図３Ｃに示すように、上層から粘着層３１、印刷層３２、合成樹脂フィルム３３を備えており、後面には遊技球が当接することはないため、ハードコート層３４はあってもなくてもよい。なお、後面装飾用フィルム３５の各層は、視認性向上のため実際の製品よりかなり厚く図示されており、図３に示す各層の厚さの比は、現実の後面装飾用フィルム３５の各層の厚さの比率を反映したものではない。
【００２９】
後面装飾層３０は、図２に示すように、印刷層３２（図３Ｃ参照）によって、第１背面側視認可能領域２２ｂに対向する位置の一部に、絵柄等の後面装飾部３２ａが形成される。なお、後面装飾部３２ａは、前面装飾層２０の第１背面側視認可能領域２２ｂに対向する位置の一部だけでなく、第１背面側視認可能領域２２ｂの対向する領域全体に設けてもよいし、後面装飾層３０の全体に設けてもよい。第１実施形態のように、前面装飾層２０の第１背面側視認可能領域２２ｂに対向する位置の一部に後面装飾部３２ａを設け、後面装飾部３２ａが設けられていない領域であって、かつ第１背面視認可能領域２２ｂから後面装飾層３０を介して背面側が視認可能となる領域が第２背面視認可能領域３２ｂとなる。なお、印刷層３２は、前面装飾層２０の印刷層２２と同様に、透明又は半透明なインクを用いて印刷してもよいし、印刷しなくてもよい。
【００３０】
なお、遊技基板１０に接合される前の後面装飾層３０を形成する後面装飾用フィルム３５には、前面装飾用フィルム２５と同様に、合成樹脂フィルム３３（又はハードコート層３４）や粘着層３１の表面に接合時又は接合後に剥離される保護フィルム５０を設けておくとよい。
【００３１】
以上のようにして作製された各構成部品は、例えば、図４に示すように、シート・トゥ・シート型によるラミネート機１２０を用いて互いに接合されて遊技板１００とされる。遊技板１００を作製するには、まず、枚葉式に切断されている前面装飾用フィルム２５の保護フィルム５０（図示しない。）が剥離されつつ、送出用コンベア１２１からガイド部材１２２、ガイドローラ１２３によって案内され、遊技基板１０との接合領域に移動される。一方、遊技基板１０は、前面装飾用フィルム２５の流れに合わせてコンベア上を流れており、保護フィルム５０が剥離され粘着層が露出された前面装飾用フィルム２５が、遊技基板１０の所定位置に配置され、加圧ローラー１２６で３００ｋｇｆ〜５００ｋｇｆ程度の圧力で押圧することで、前面装飾用フィルム２５が遊技基板１０の前面に圧着されて前面装飾層２０が形成される。次に、遊技基板１０を表裏逆さまに配置し、同様にして、後面装飾用フィルム３５を遊技基板１０の後面に圧着し、後面装飾層３０を形成する。その後、２、３日程度養生し、必要な入賞口等の小開口部１０ｂを図１に示すように、ルーター等で孔明け加工して遊技板１００が完成する。
【００３２】
こうして下層から後面装飾層３０、遊技基板１０、前面装飾層２０の順に積層された遊技板１００が作製される。
【００３３】
こうして作製された第１実施形態にかかる遊技板１００によれば、遊技基板１０の前面に第１背面側視認可能領域２２ｂを有する前面装飾層２０を有するので、前面装飾部２２ａの部分では、遊技板１００の前面の前面装飾部２２ａが装飾として視認できる。また、第１背面視認可能領域２２ｂの部分では、遊技板１００の後面に設けられた絵柄等の後面装飾部３２ａが視認できるように配置されている。そのため、これまで平面的になりがちな遊技板面を奥行き感のあるものとすることができ、より装飾効果の高い遊技板１００を提供することができる。さらに、正面から視認した際に、第１背面側視認可能領域２２ｂと第２背面側視認可能領域３２ｂとが設けられている部分においては、さらに奥側が視認できるので、例えば、その奥側を暗部にしておくことによって、奥行きのある空間を演出することができる。
【００３４】
なお、第１実施形態における遊技板１００の別実施形態として、以下の構成を採用することもできる。
【００３５】
第１実施形態における遊技板１００において、図１の「ＧＯＯＤ」、「ＬＵＣＫ」及び「ＣＨＡＮＣＥ」のように、前面装飾部２２ａと後面装飾部３２ａの両方に同じ絵柄等を設け、かつ前面装飾部２２ａと後面装飾部３２ａの絵柄等を正面から視認した場合に一定距離ずれるように設けてもよい。このように構成することで、目の錯覚により立体的な印象の絵柄等を表現することができる。
【００３６】
また、第１実施形態における遊技板１００において、図５に示したように、前面装飾部２２ａと後面装飾部３２ａの両方に同じ絵柄等を設けてもよい。かかる構成を採用することで、前面装飾部２２ａの絵柄等がパチンコ球等によって摩耗した場合であっても後面装飾部３２ａの絵柄等によって摩耗した絵柄と同様の絵柄が視認させることができる。このため、摩耗による絵柄が消えているのを視認者に認識させづらくすることができる。
【００３７】
さらに、第１実施形態における遊技板１００において、前面装飾部２２ａ及び後面装飾部３２ａは、遊技基板１０とほぼ同様の大きさを有する前面装飾用フィルム２５又は後面装飾用フィルム３５を用いて接合したが、図６に示すように、絵柄等を有する前面装飾部２２ａ及び後面装飾部３２ａのみを前面装飾用フィルム２５又は後面装飾用フィルム３５に接合してもよい。
【００３８】
また、第１実施形態における遊技板１００において、前面装飾部２２ａ及び後面装飾部３２ａは、前面装飾用フィルム２５又は後面装飾用フィルム３５を用いて接合したが、直接印刷してもよいし、パット印刷又は転写によって前面装飾部２２ａ及び後面装飾部３２ａを形成してもよい。
【００３９】
また、第１実施形態における遊技板１００において、前面装飾部２２ａ及び後面装飾部３２ａは、前面装飾用フィルム２５又は後面装飾用フィルム３５を用いて接合したが、必ずしも接合することなく、単に接触するように配置されているものであってもよい。
【００４０】
また、第１実施形態における遊技板１００において、前面装飾層２０に使用する前面装飾用フィルム２５及び後面装飾層３０に使用する後面装飾用フィルム３５には、ホログラム、３Ｄフィルム又は拡散フィルムを使用してもよい。かかるフィルムを採用することによって、より高い装飾効果を有する遊技板を提供することができる。
【００４１】
（第２実施形態）
第２実施形態にかかる遊技機１１０及び遊技板１００が図７に示されている。図７は、第２実施形態にかかる遊技機１１０及び遊技板１００の分解斜視図である。第２実施形態にかかる遊技機１１０は、遊技板１００、前面側装飾ユニット１０１、背面側装飾ユニット１０２及び遊技機本体１０３を有している。
【００４２】
第２実施形態にかかる遊技板１００は、第１実施形態の遊技板１００とほぼ同様の構成であるが、第１背面側視認可能領域２２ｂと第２背面側視認可能領域３２ｂとが対向して遊技板１００の背面側が視認可能な領域が必須である点が異なる。なお、第１実施形態の遊技板の別実施形態を採用することも可能である。それ以外の点は第１実施形態と同様であるので説明を省略する。遊技板１００には、ガイドレール１００ａ、釘及び風車等（図示しない。）が植設される。
【００４３】
前面側装飾ユニット１０１は、遊技板１００の前面側に装飾を施すためのユニットであり、立体的な構造物を配置することによって、遊技板１００の前面側に立体的な装飾効果を与えることができる。その形状等は特に限定するものではない。
【００４４】
背面側装飾ユニット１０２は、遊技板１００の背面側に装飾を施すためのユニットであり、第１背面側視認可能領域２２ｂと第２背面側視認可能領域３２ｂとが対向している範囲の背面側に背面装飾部１０２ａが設けられている。背面装飾部１０２ａは、立体構造物で作製されており、正面から視認した場合に、第１背面側視認可能領域２２ｂと第２背面側視認可能領域３２ｂを介して遊技板１００の奥側に立体的な装飾効果を与えることができる。
【００４５】
遊技機本体１０３は、前面装飾ユニット１０１及び背面側装飾ユニット１０２が組み付けられた遊技板１００を装飾することにより、遊技機１１０を形成する。
【００４６】
以上の構成により作製される遊技機１１０によれば、前面側装飾ユニット１０１により視認される立体的な部分、前面装飾層２０のみが視認される部分、前面装飾層２０の第１背面側視認可能領域２２ｂを介して視認される後面装飾部３２ａ及び第１背面側視認可能領域２２ｂ及び第２背面側視認可能領域３２ｂを介して視認される背面装飾部１０２ａによる立体的な部分の４つの異なる奥行きを有する装飾を視認することができる。そのため、奥行き感のある立体的な装飾効果を有する遊技機を提供することができる。
【００４７】
さらに、前面装飾部２２ａと後面装飾部３２ａの両方に視認可能領域を設け、その奥側に立体物を設けることで、前面装飾層２０、後面装飾層３０、背面側装飾部１０２ａの立体物の選択により様々なレイアウト、意匠を選択することができ、装飾のバリエーションが増え、装飾効果をより高めることができる。
【００４８】
なお、第２実施形態において、背面装飾部１０２ａは立体構造物としたが、平面からなる印刷、液晶表示装置又はＬＥＤなどの発光体等による装飾であっても構わない。
【００４９】
なお、本発明は上述した各実施形態に何ら限定されることはなく、本発明の技術的範囲に属する限り種々の態様で実施し得ることはいうまでもない。
【００５０】
さらに、上述した実施形態では、前面装飾用フィルム２５は、ハードコート層２４を積層するものとしたが、ハードコート層２４がなくても構わない。
【００５１】
また、上述した実施形態にかかる前面装飾用フィルム２５及び後面装飾用フィルム３５によれば、印刷層２２、３２と隣接して粘着層２１、３１を設けているが、印刷層２２、３２と粘着層２１、３１との間に、合成樹脂フィルム２３、３３とは別の合成樹脂フィルムを嵌挿してもよい。かかる構成を採用することによって、印刷層２２、３２と粘着層２１、３１との間に樹脂フィルムが挟まれるため、粘着層２１、３１に印刷層２２、３２の湿気が到達することが防止される。そのため、粘着層２１、３１の強度が印刷層２２、３２の乾燥状態によって劣化する等の影響を受けることを防止することができる。そのため、ロットごとに接合強度のばらつきを低減させることができる。また、印刷層２２、３２は、合成樹脂フィルム２２、３３とハードコート層２４、３４との間に備えるものにしてもよい。
【００５２】
さらに、上述した実施形態では、前面装飾用フィルム２５及び後面装飾用フィルム３５を遊技基板１０に接合する際に、シート・トゥ・シート式によるラミネート機１２０を用いて作製したが、ロール・トゥ・シート式のラミネート機を使用してもよい。
【産業上の利用可能性】
【００５３】
上述した実施の形態で示すように、遊技球を遊技媒体として用いる遊技機に利用することができる。
【符号の説明】
【００５４】
１０…遊技基板、１０ｂ…小開口部、２０…前面装飾層、２１…粘着層、
２２…印刷層、２２ａ…前面装飾部、２２ｂ…第１背面側視認可能領域、
２３…合成樹脂フィルム、２４…ハードコート層、２５…前面装飾用フィルム、
３０…後面装飾層、３１…粘着層、３２…印刷層、３２ａ…後面装飾部、
３２ｂ…第２背面側視認可能領域、３３…合成樹脂フィルム、
３４…ハードコート層、３５…後面装飾用フィルム、
５０…保護フィルム、１００…遊技板、１００ａ…ガイドレール、
１０１…前面側装飾ユニット、１０２…背面側装飾ユニット、
１０２ａ…背面装飾部、１０３…遊技機本体、１１０…遊技機、
１２０…ラミネート機、１２１…送出用コンベア、１２２…ガイド部材、
１２３…ガイドローラ、１２６…加圧ローラー
【図１】
2015104392.tif 000003
【図２】
2015104392.tif 000004
【図３】
2015104392.tif 000005
【図４】
2015104392.tif 000006
【図５】
2015104392.tif 000007
【図６】
2015104392.tif 000008
【図７】
2015104392.tif 000009